【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
固定データを処理する第１の印刷機器と可変データに対応可能な第２の印刷機器とが接続されたシステムにおける、固定データと可変データとが混在する入力データを処理するための混在ジョブ生成方法であって、
ページ数を取得する手段が、前記第１の印刷機器が連続して印刷処理可能な固定データのページ数を取得する工程と、
第１のジョブを生成する手段が、前記固定データと可変データとが混在する入力データ中の連続して印刷処理可能な固定データのページ数が、前記取得した第１の印刷機器が連続して印刷処理可能な固定データのページ数を越える場合に、前記入力データ中の連続して印刷処理可能な固定データのページを前記第１の印刷機器の印刷データに割付ける第１のジョブを生成する工程と、
第２のジョブを生成する手段が、前記入力データから前記第１の印刷機器に割付けた固定データのページを除いた残りの入力データのページを、前記第２の印刷機器の印刷データに割付ける第２のジョブを生成する工程とを有することを特徴とする混在ジョブ生成方法。
【請求項２】
前記第１の印刷機器が有版印刷機であり、前記第２の印刷機器が無版印刷機であって、データは印刷ページ単位で処理され、
前記第１の印刷機器の印刷データは、前記第１の印刷機器で用いられる刷版を制作するための版用データであって、
分割方法を選択する手段が、印刷結果の製本方法に対応して前記入力された印刷ページを分割する異なる複数の分割方法をそれぞれ順に選択する工程と、
ジョブの生成を指示する手段が、前記選択されたそれぞれの異なる分割方法に従って、前記第１のジョブを生成する工程と前記第２のジョブを生成する工程とに前記第１のジョブと第２のジョブの生成を指示する工程と、
組合せを選択する手段が、前記生成された第１及び第２のジョブの複数の異なる組合せから、予め決められた条件をより満たす組合せを選択する工程とを更に有することを特徴とする請求項１に記載の混在ジョブ生成方法。
【請求項３】
前記複数の分割方法は、印刷結果の中綴り製本に対応する分割方法と、印刷結果の平綴り製本に対応する分割方法とを含むことを特徴とする請求項２に記載の混在ジョブ生成方法。
【請求項４】
前記組合せを選択する工程は、前記中綴り製本に対応する分割方法と平綴り製本に対応する分割方法とをそれぞれ選択する第１の処理と、前記中綴り製本に対応する分割方法と平綴り製本に対応する分割方法との一方を指定する第２処理とのいずれかを、指示に従って選択する工程を更に有することを特徴とする請求項３に記載の混在ジョブ生成方法。
【請求項５】
前記複数の分割方法は、前記第１のジョブと第２のジョブとを組合せた分割方法と前記第２のジョブのみの分割方法とを含むことを特徴とする請求項２又は３に記載の混在ジョブ生成方法。
【請求項６】
前記複数の分割方法は、前記第１の印刷機器に丁合の同一位置に異なる折丁を挿入するセレクティブ・バインディング機能が付加されている分割方法と該セレクティブ・バインディング機能が付加されていない分割方法とを含むことを特徴とする請求項２又は３又は５に記載の混在ジョブ生成方法。
【請求項７】
頻度を算出する手段が、可変データを含む印刷ページの変化の頻度を算出する工程と、
セレクティブ・バインディング機能を実施する手段が、前記算出の結果から、変化の頻度が最も少ない印刷ページを可変の印刷ページから除外して、当該印刷ページについて前記セレクティブ・バインディング機能を実施する工程とを有することを特徴とする請求項６記載の混在ジョブ生成方法。
【請求項８】
前記有版印刷機及び前記無版印刷機の少なくとも一方が、複数の印刷ページの両面印刷及び折丁の機能を有し、前記有版印刷機が１シートに印刷処理可能なページ数は前記無版印刷機が１シートに印刷処理可能なページ数より多いことを特徴とする請求項２に記載の混在ジョブ生成方法。
【請求項９】
前記予め決められた条件をより満たす組合せを選択する工程では、より低いコスト及びより短い処理時間の少なくとも一方を含む組合せを選択することを特徴とする請求項２に記載の混在ジョブ生成方法。
【請求項１０】
前記固定データと可変データとが混在する入力データが予め決められた第１のフォーマットのジョブチケットで入力され、前記第１及び第２のジョブが予め決められた第２のフォーマットのジョブチケットで前記有版印刷機及び前記無版印刷機に伝達され、前記有版印刷機と無版印刷機の印刷出力を製本する製本機の制御を指示する第３のジョブが予め決められた第３のフォーマットのジョブチケットで伝達されることを特徴とする請求項２に記載の混在ジョブ生成方法。
【請求項１１】
請求項１乃至１０のいずれか１項に記載の混在ジョブ生成方法の工程をコンピュータに実行させるためのコンピュータプログラム。
【請求項１２】
請求項１１に記載のコンピュータプログラムを記憶したコンピュータ読み取り可能な記憶媒体。
【請求項１３】
固定データを処理する第１の印刷機器と可変データに対応可能な第２の印刷機器とが接続されたシステムにおける、固定データと可変データとが混在する入力データを処理するための混在ジョブ生成装置であって、
前記第１の印刷機器が連続して印刷処理可能な固定データのページ数を取得する手段と、
前記固定データと可変データとが混在する入力データ中の連続して印刷処理可能な固定データのページ数が、前記取得した第１の印刷機器が連続して印刷処理可能な固定データのページ数を越える場合に、前記入力データ中の連続して印刷処理可能な固定データのページを前記第１の印刷機器の印刷データに割付ける第１のジョブを生成する手段と、
前記入力データから前記第１の印刷機器に割付けた固定データのページを除いた残りの入力データのページを、前記第２の印刷機器の印刷データに割付ける第２のジョブを生成する手段とを有することを特徴とする混在ジョブ生成装置。
【請求項１４】
前記第１の印刷機器が有版印刷機であり、前記第２の印刷機器が無版印刷機であって、データは印刷ページ単位で処理され、
前記第１の印刷機器の印刷データは、前記第１の印刷機器で用いられる刷版を制作するための版用データであって、
印刷結果の製本方法に対応して前記入力された印刷ページを分割する異なる複数の分割方法をそれぞれ順に選択する手段と、
前記選択されたそれぞれの異なる分割方法に従って、前記第１のジョブを生成する手段と前記第２のジョブを生成する手段に、前記第１のジョブと第２のジョブの生成を指示する手段と、
前記生成された第１及び第２のジョブの複数の異なる組合せから、予め決められた条件をより満たす組合せを選択する手段とを更に有することを特徴とする請求項１３に記載の混在ジョブ生成装置。
【請求項１５】
前記複数の分割方法は、印刷結果の中綴り製本に対応する分割方法と、印刷結果の平綴り製本に対応する分割方法とを含むことを特徴とする請求項１４に記載の混在ジョブ生成装置。
【請求項１６】
前記選択する手段で前記中綴り製本に対応する分割方法と平綴り製本に対応する分割方法とをそれぞれ選択する第１の処理と、前記中綴り製本に対応する分割方法と平綴り製本に対応する分割方法との一方を指定する第２処理のいずれかを、指示に従って選択する手段を更に有することを特徴とする請求項１５に記載の混在ジョブ生成装置。
【請求項１７】
前記複数の分割方法は、前記第１のジョブと第２のジョブとを組合せた分割方法と前記第２のジョブのみの分割方法とを含むことを特徴とする請求項１４又は１５に記載の混在ジョブ生成装置。
【請求項１８】
前記複数の分割方法は、前記第１の印刷機器に丁合の同一位置に異なる折丁を挿入するセレクティブ・バインディング機能が付加されている分割方法と該セレクティブ・バインディング機能が付加されていない分割方法とを含むことを特徴とする請求項１４又は１５又は１７に記載の混在ジョブ生成装置。
【請求項１９】
可変データを含む印刷ページの変化の頻度を算出する手段と、
前記算出の結果から、変化の頻度が最も少ない印刷ページを可変の印刷ページから除外して、当該印刷ページについて前記セレクティブ・バインディング機能を実施する手段とを有することを特徴とする請求項１８記載の混在ジョブ生成装置。
【請求項２０】
前記有版印刷機及び前記無版印刷機の少なくとも一方が、複数の印刷ページの両面印刷及び折丁の機能を有し、前記有版印刷機が１シートに印刷処理可能なページ数は前記無版印刷機が１シートに印刷処理可能なページ数より多いことを特徴とする請求項１４に記載の混在ジョブ生成装置。
【請求項２１】
前記予め決められた条件をより満たす組合せを選択する手段では、より低いコスト及びより短い処理時間の少なくとも一方を含む組合せを選択することを特徴とする請求項１４に記載の混在ジョブ生成装置。
【請求項２２】
前記固定データと可変データとが混在する入力データが予め決められた第１のフォーマットのジョブチケットで入力され、前記第１及び第２のジョブが予め決められた第２のフォーマットのジョブチケットで前記有版印刷機及び前記無版印刷機に伝達され、前記有版印刷機と無版印刷機の印刷出力を製本する製本機の制御を指示する第３のジョブが予め決められた第３のフォーマットのジョブチケットで伝達されることを特徴とする請求項１４に記載の混在ジョブ生成装置。
【請求項２３】
請求項１３乃至２２のいずれか１項に記載の混在ジョブ生成装置を、前記有版印刷機及び前記無版印刷機とは独立に含むことを特徴とする印刷製本システム。
【請求項２４】
請求項１３乃至２２のいずれか１項に記載の混在ジョブ生成装置が、前記有版印刷機の版を作成するプリプレス部又は前記無版印刷機に組み込まれていることを特徴とする印刷製本システム。
【手続補正２】
【補正対象書類名】明細書
【補正対象項目名】０００４
【補正方法】変更
【補正の内容】
【０００４】
このため、従来の印刷業者においては、受注したジョブの種類に応じて印刷方式の別（有版オフセット印刷あるいは無版デジタル印刷）を最初から切り替えて、処理を行っていた。
【手続補正３】
【補正対象書類名】明細書
【補正対象項目名】０００９
【補正方法】変更
【補正の内容】
【０００９】
ところが、近年、デジタル印刷機のランニングコストの低下、及び高速化に伴い、少部数の印刷の場合には、固定ページ印刷であっても、無版デジタル印刷の方が有版オフセット印刷と比べて低コストや短納期が可能となってきている。また、無版デジタル印刷機の普及に伴い、市場においては顧客毎に異なる出力を行なう印刷の需要が増加している。但し、このような需要においても、印刷製本物の全てのページに可変の印刷要素が含まれているわけではない。従って、可変の印刷が可能と言う理由だけで、全頁を無版デジタル印刷のジョブとすることには、コスト面や納期面で不満が残る場合がある。逆に、直前まで確定しない入稿データの一部ページに関しても、（ＶＤＰではないものの）無版デジタル印刷の方が、有版オフセット印刷と比較してコストや納期の面で有利となる場合も有り得る。
【手続補正４】
【補正対象書類名】明細書
【補正対象項目名】００２０
【補正方法】変更
【補正の内容】
【００２０】
上述した課題を解決するために、本発明の混在ジョブ生成方法は、固定データを処理する第１の印刷機器と可変データに対応可能な第２の印刷機器とが接続されたシステムにおける、固定データと可変データとが混在する入力データを処理するための混在ジョブ生成方法であって、ページ数を取得する手段が、前記第１の印刷機器が連続して印刷処理可能な固定データのページ数を取得する工程と、第１のジョブを生成する手段が、前記固定データと可変データとが混在する入力データ中の連続して印刷処理可能な固定データのページ数が、前記取得した第１の印刷機器が連続して印刷処理可能な固定データのページ数を越える場合に、前記入力データ中の連続して印刷処理可能な固定データのページを前記第１の印刷機器の印刷データに割付ける第１のジョブを生成する工程と、第２のジョブを生成する手段が、前記入力データから前記第１の印刷機器に割付けた固定データのページを除いた残りの入力データのページを、前記第２の印刷機器の印刷データに割付ける第２のジョブを生成する工程とを有することを特徴とするを特徴とする。
【手続補正５】
【補正対象書類名】明細書
【補正対象項目名】００２１
【補正方法】変更
【補正の内容】
【００２１】
ここで、前記第１の印刷機器が有版印刷機であり、前記第２の印刷機器が無版印刷機であって、データは印刷ページ単位で処理され、前記第１の印刷機器の印刷データは、前記第１の印刷機器で用いられる刷版を制作するための版用データであって、分割方法を選択する手段が、印刷結果の製本方法に対応して前記入力された印刷ページを分割する異なる複数の分割方法をそれぞれ順に選択する工程と、ジョブの生成を指示する手段が、前記選択されたそれぞれの異なる分割方法に従って、前記第１のジョブを生成する工程と前記第２のジョブを生成する工程とに前記第１のジョブと第２のジョブの生成を指示する工程と、組合せを選択する手段が、前記生成された第１及び第２のジョブの複数の異なる組合せから、予め決められた条件をより満たす組合せを選択する工程とを更に有する。
【手続補正６】
【補正対象書類名】明細書
【補正対象項目名】００２４
【補正方法】変更
【補正の内容】
【００２４】
ここで、前記第１の印刷機器が有版印刷機であり、前記第２の印刷機器が無版印刷機であって、データは印刷ページ単位で処理され、前記第１の印刷機器の印刷データは、前記第１の印刷機器で用いられる刷版を制作するための版用データであって、印刷結果の製本方法に対応して前記入力された印刷ページを分割する異なる複数の分割方法をそれぞれ順に選択する手段と、前記選択されたそれぞれの異なる分割方法に従って、前記第１のジョブを生成する手段と前記第２のジョブを生成する手段に、前記第１のジョブと第２のジョブの生成を指示する手段と、前記生成された第１及び第２のジョブの複数の異なる組合せから、予め決められた条件をより満たす組合せを選択する手段とを更に有する。
【手続補正７】
【補正対象書類名】明細書
【補正対象項目名】００２５
【補正方法】変更
【補正の内容】
【００２５】
また、本発明の印刷製本システムは、上記混在ジョブ生成装置を、前記有版印刷機及び前記無版印刷機とは独立に含むことを特徴とする。また、本発明の印刷製本システムには、上記混在ジョブ生成装置が、前記有版印刷機の版を作成するプリプレス部又は前記無版印刷機に組み込まれていることを特徴とする。
【手続補正８】
【補正対象書類名】明細書
【補正対象項目名】００５３
【補正方法】変更
【補正の内容】
【００５３】
１０１−３ｒは、製本機１１６を制御するための製本機ジョブ制御情報である。製本機ジョブ制御情報１０１−３ｒは、中綴りか平綴りかを示す情報１０１−３ｒ−１を含む。又、有版オフセット印刷機１１４からの印刷及び折丁結果を無版デジタル印刷機１１５からの印刷及び折丁結果と、どのように中綴りするかの情報１０１−３ｒ−２を含む。情報１０１−３ｒ−２のジョブＩＤ（１−１）は、有版オフセット印刷機１１４への制御情報のジョブＩＤ（１−１）に一致する。又、無版デジタル印刷機１１５からの印刷及び折丁結果を有版オフセット印刷機１１４からの印刷及び折丁結果と、どのように中綴りするかの情報１０１−３ｒ−３を含む。情報１０１−３ｒ−３のジョブＩＤ（１−２）は、無版デジタル印刷機１１５への制御情報のジョブＩＤ（１−２）に一致する。
【手続補正９】
【補正対象書類名】明細書
【補正対象項目名】００５４
【補正方法】変更
【補正の内容】
【００５４】
１０１−３ｓは、有版オフセット印刷機１１４を制御するための生成ジョブである。有版オフセット印刷機用生成ジョブ１０１−３ｓは、印刷するページと折丁についての情報１０１−３ｓ−１を有する。情報１０１−３ｓ−１は、ジョブＩＤ（１−１）と、印刷するページ番号のリスト（図１Ｃではページ１〜４，９〜１２：図３参照）と、ページ番号からページデータへのポインタと、折丁情報（図１Ｃでは４つ折り：図３参照）とを含む。
【手続補正１０】
【補正対象書類名】明細書
【補正対象項目名】００５５
【補正方法】変更
【補正の内容】
【００５５】
１０１−３ｔは、無版デジタル印刷機１１５を制御するための生成ジョブである。無版デジタル印刷機用生成ジョブ１０１−３ｔは、印刷するページと折丁についての情報１０１−３ｔ−１を有する。情報１０１−３ｔ−１は、ジョブＩＤ（１−２）と、印刷するページ番号のリスト（図１Ｃではページ５〜８：図３参照）と、ページ番号からページデータへのポインタと、折丁情報（図１Ｃでは２つ折り：図３参照）とを含む。
【手続補正１１】
【補正対象書類名】明細書
【補正対象項目名】００７４
【補正方法】変更
【補正の内容】
【００７４】
２０１及び２０２は、ページデータ２００を２つのページ群に分割し、それぞれ、無版デジタル印刷用と有版オフセット印刷用に面付けすることを示している。１ページ目から４ページ目までは無版デジタル印刷用ページ群２０１にまとめられ、二つ折り処理され、５ページ目から１２ページ目までは有版オフセット印刷用ページ群２０２にまとめられ、四つ折り処理されることを示している。更に、これらのページ群をそれぞれ印刷して折った折丁結果を２０３、２０４で示している。２０５は、折丁結果２０３，２０４を順に重ねて平綴じ製本することを示しており、２０６はその結果の製本物を表している。なお、折丁結果２０４の少なくとも１辺（例えば天袋の辺）を断裁してから、平綴じ製本することになる。
【手続補正１２】
【補正対象書類名】明細書
【補正対象項目名】００７９
【補正方法】変更
【補正の内容】
【００７９】
図３の場合には、３１１と３１２にページ群が分割される。１ページから４ページ目と９ページ目から１２ページ目までが１つのページ群として有版オフセット印刷用ページ群３１１にまとめられ、四つ折り処理される。また、５ページ目から８ページ目までが無版デジタル印刷用３１２にまとめられ、二つ折り処理される。有版オフセット印刷用３１１の結果は折丁結果３１３となり、無版デジタル印刷用ページ群３１２の結果は折丁結果３１４となる。３１５は、折丁結果３１３に折丁結果３１４を差し込んで中綴じ製本することを示しており、３１６はその結果の製本物を表している。なお、折丁結果３１３の少なくとも１辺（例えば天袋の辺）を断裁してから、平綴じ製本することになる。
【手続補正１３】
【補正対象書類名】明細書
【補正対象項目名】００８３
【補正方法】変更
【補正の内容】
【００８３】
図４において、４２０は分割される前のページデータを示している。図４においては、両面印刷を前提とした２４ページのページデータが存在する。付記されているページ番号及び可変印刷ページマーク“ｖ”は、前出の図２、図３と同様である。図４においては２０ページ目と２１ページ目が可変印刷を行なうページとなっている。
【手続補正１４】
【補正対象書類名】明細書
【補正対象項目名】００８５
【補正方法】変更
【補正の内容】
【００８５】
４２１、４２２、４２３は、ページデータ４２０を３つのページ群に分割し、それぞれ有版オフセット印刷用ページ群４２１、無版デジタル印刷用ページ群４２２、４２３に面付けすることを示している。1ページ目から１６ページ目までは有版オフセット印刷用ページ群４２１にまとめられ、四つ折り処理される。また、１７ページ目から２０ページ目までは無版デジタル印刷用ページ群４２２、２１ページ目から２４ページ目までが無版デジタル印刷用ページ群４２３にそれぞれまとめられ、個別に二つ折り処理される。
【手続補正１５】
【補正対象書類名】明細書
【補正対象項目名】００８９
【補正方法】変更
【補正の内容】
【００８９】
このようなページデータに対して、図５に示す例では次の５つのページ範囲に分割している。すなわち、折丁を作らない無版デジタル印刷用の１シート５３１、有版オフセット印刷用の４つ折り折丁５３２、無版デジタル印刷用の１シート５３３、有版オフセット印刷用の４つ折り折丁５３４、無版デジタル印刷用の２つ折り折丁５３５である。そして、５３６に示すように、順に重ねて平綴じ製本することで、製本物５３７を作ることを示している。
【手続補正１６】
【補正対象書類名】明細書
【補正対象項目名】０１３５
【補正方法】変更
【補正の内容】
【０１３５】
なお、図１におけるジョブ制御部１０６は、図１０、図１２、図１３、図１５に示した折丁情報リストの結果に従ってページデータを分割し、プリプレス部１０９及びプリンタドライバ１１３へ送信する。
【手続補正１７】
【補正対象書類名】明細書
【補正対象項目名】０１４１
【補正方法】変更
【補正の内容】
【０１４１】
次に、ステップＳ１６０８にて、無版デジタル印刷後の後処理の能力を取得する。ステップＳ１６０９では、ステップＳ１６０７で求めた数の折り処理が、ステップＳ１６０８で取得したデバイス能力で可能であるかを判断する。中綴じ製本の場合には、無版デジタル印刷の場合であっても両面４ページ以上の面付けが必要となり、１回以上の折りの処理が必要となる。従って、無版デジタル印刷後に折りの処理が不可能である場合には、中綴じ製本を前提としたページ分割を選択することは出来ない。折りが可能である場合（Ｓ１６０８のＹｅｓ)には、ステップＳ１６１０へ進む。そうでない場合（Ｓ１６０８のＮｏ)には、ステップＳ１６１２へ進む。ステップＳ１６１０では、中綴じ製本割付の場合のコストを計算し、内部変数Ｃに設定する。
【手続補正１８】
【補正対象書類名】明細書
【補正対象項目名】０２３０
【補正方法】変更
【補正の内容】
【０２３０】
ステップＳ２７０４にてページ編集を行なう。ここでは、未入稿ページの指定を行なう。可変印刷ページは、ページ分割部２６３３にてＰＰＭＬ等の可変印刷用のデータフォーマットを解析することにより判断されるものとする。
【手続補正１９】
【補正対象書類名】明細書
【補正対象項目名】０２４０
【補正方法】変更
【補正の内容】
【０２４０】
＜本実施形態の印刷製本システム全体の機器構成例＞
図２９は、実施形態５における印刷製本システム全体の機器構成の一例を示すブロック図である。図２９において、実施形態１における図１Ａと同一の構成物については、下二桁に同じ番号を付しており、ここでは説明を省く。
【手続補正２０】
【補正対象書類名】明細書
【補正対象項目名】０２６１
【補正方法】変更
【補正の内容】
【０２６１】
＜ジョブ制御部からプリンタドライバへ送られるジョブチケットの例＞
図３２は、本実施形態におけるジョブ制御部からプリンタドライバへ送られるジョブチケット３２００の一例を示した図である。なお、無版デジタル印刷機がジョブチケットを直接受け付けられる場合には、ジョブ制御部から無版デジタル印刷機へジョブチケットを送信する構成とすることも可能である。
【手続補正２１】
【補正対象書類名】明細書
【補正対象項目名】０２６９
【補正方法】変更
【補正の内容】
【０２６９】
＜ジョブ制御部から製本機へ送られるジョブチケットの例＞
図３３は、本実施形態におけるジョブ制御部から製本機へ送られるジョブチケット３３００の一例を示した図である。図３３は、図１２に示すページ分割結果に対応して、製本機向けに送られるジョブチケットを表している。なお、他の実施形態におけるジョブチケットも同様に作成できる。